(57)【要約】【課題】衝突時にバンパリインフォースの座屈を防止又は抑制してサイドメンバ側への荷重伝達性能を確保することができる車両用バンパ構造を得る。【解決手段】フロントバンパリインフォース２４において、横隔壁部４０、４２を挟んで上下に設けられた縦隔壁部４４、４６、４８の位置は、車両前後方向へオフセットしており、フロントバンパリインフォース２４が衝突荷重Ｆを受けた場合、横隔壁部４０、４２に生じる座屈波長が短くなって断面が潰れにくくなる。【選択図】図２
2009090705.tif 000002
【特許請求の範囲】
【請求項１】
車両の前後方向の端部側に設けられると共に車両幅方向を長手方向として配置されてかつ両サイドが車両前後方向を長手方向として配置されたサイドメンバの端部側に結合されたアルミニウム合金製のバンパリインフォースを有する車両用バンパ構造であって、
前記バンパリインフォースは、
車両前後方向に沿った縦断面形状が中空矩形状とされて、前後一対の前壁部及び後壁部と、上下一対の上壁部及び下壁部と、を備えると共に、
前記前壁部と前記後壁部とを車両前後方向に一体に繋ぐと共に前記長手方向に沿って延在した横隔壁部と、
前記上壁部、前記横隔壁部及び前記下壁部の車両上下方向に対向して配置された部分同士を車両上下方向に一体に繋ぐと共に前記長手方向に沿って延在した縦隔壁部と、
を備え、前記縦隔壁部は、前記横隔壁部を挟んで上下に設けられた一方の位置が他方の位置に対して車両前後方向へオフセットしていることを特徴とする車両用バンパ構造。
【請求項２】
前記バンパリインフォースにおける前記縦隔壁部及び前記後壁部と、前記サイドメンバの端部側に設けられて前記バンパリインフォースが結合された取付壁部と、に対して締結荷重を作用させる締結手段を設けたことを特徴とする請求項１記載の車両用バンパ構造。
【請求項３】
前記締結手段によって締結荷重を作用させる前記縦隔壁部と前記後壁部との間に、前記締結手段を構成する雄ねじ部材を貫通させる筒状のカラーが配設されていることを特徴とする請求項２記載の車両用バンパ構造。
【発明の詳細な説明】
【技術分野】
【０００１】
本発明は、アルミニウム合金製のバンパリインフォースを有する車両用バンパ構造に関する。
【背景技術】
【０００２】
車両用バンパ構造においては、バンパリインフォースを補強するために、バンパリインフォース内に潰れ防止体を設けた構造がある（例えば、特許文献１参照）。しかし、この構造では、衝突時にバンパリインフォースの上下及び前後の側壁に対して潰れ防止体が剥離（口開き）してしまうと、座屈抑制性能が低下してサイドメンバ側への十分な荷重伝達性能が得られない可能性がある。
【特許文献１】特開２０００−５２８９７公報
【発明の開示】
【発明が解決しようとする課題】
【０００３】
本発明は、上記事実を考慮して、衝突時にバンパリインフォースの座屈を防止又は抑制してサイドメンバ側への荷重伝達性能を確保することができる車両用バンパ構造を得ることを目的とする。
【課題を解決するための手段】
【０００４】
請求項１に記載する本発明の車両用バンパ構造は、車両の前後方向の端部側に設けられると共に車両幅方向を長手方向として配置されてかつ両サイドが車両前後方向を長手方向として配置されたサイドメンバの端部側に結合されたアルミニウム合金製のバンパリインフォースを有する車両用バンパ構造であって、前記バンパリインフォースは、車両前後方向に沿った縦断面形状が中空矩形状とされて、前後一対の前壁部及び後壁部と、上下一対の上壁部及び下壁部と、を備えると共に、前記前壁部と前記後壁部とを車両前後方向に一体に繋ぐと共に前記長手方向に沿って延在した横隔壁部と、前記上壁部、前記横隔壁部及び前記下壁部の車両上下方向に対向して配置された部分同士を車両上下方向に一体に繋ぐと共に前記長手方向に沿って延在した縦隔壁部と、を備え、前記縦隔壁部は、前記横隔壁部を挟んで上下に設けられた一方の位置が他方の位置に対して車両前後方向へオフセットしていることを特徴とする。
【０００５】
請求項１に記載する本発明の車両用バンパ構造によれば、車両前後方向に沿った縦断面形状が中空矩形状とされたバンパリインフォースは、横隔壁部が前壁部と後壁部とを車両前後方向に一体に繋ぐと共にバンパリインフォースの長手方向に沿って延在しているので、車両衝突時にバンパリインフォースが衝突荷重を受けると、衝突荷重は、上壁部、下壁部及び横隔壁部によって衝突側の反対側へ伝達される。
【０００６】
ここで、バンパリインフォースにおいて、縦隔壁部は、上壁部、横隔壁部及び下壁部の車両上下方向に対向して配置された部分同士を車両上下方向に一体に繋ぐと共にバンパリインフォースの長手方向に沿って延在し、かつ、横隔壁部を挟んで上下に設けられた一方の位置が他方の位置に対して車両前後方向へオフセットしているので、横隔壁部においては、例えば、同じ断面積で上下の縦隔壁部の位置が車両前後方向へオフセットされていない対比構造と比べて、車両前後方向に位置が異なる縦隔壁部との交点が増える。このため、バンパリインフォースが衝突荷重を受けた場合には、横隔壁部の座屈波長が短くなって断面が潰れにくくなる。
【０００７】
請求項２に記載する本発明の車両用バンパ構造は、請求項１記載の構成において、前記バンパリインフォースにおける前記縦隔壁部及び前記後壁部と、前記サイドメンバの端部側に設けられて前記バンパリインフォースが結合された取付壁部と、に対して締結荷重を作用させる締結手段を設けたことを特徴とする。
【０００８】
請求項２に記載する本発明の車両用バンパ構造によれば、バンパリインフォースにおける縦隔壁部及び後壁部と、サイドメンバの端部側に設けられてバンパリインフォースが結合された取付壁部とは、締結手段による締結荷重を受けるので、バンパリインフォースが衝突荷重を受けた場合、バンパリインフォースは、後壁部に加えて縦隔壁部でも荷重を支持することになる。すなわち、例えば、車両衝突時に後壁部と取付壁部との結合面方向（せん断方向）への荷重、及び車両幅方向内側への回転方向の荷重が入力された場合、バンパリインフォースは、後壁部と縦隔壁部とで荷重を支持するので、変形しにくい。
【０００９】
請求項３に記載する本発明の車両用バンパ構造は、請求項２記載の構成において、前記締結手段によって締結荷重を作用させる前記縦隔壁部と前記後壁部との間に、前記締結手段を構成する雄ねじ部材を貫通させる筒状のカラーが配設されていることを特徴とする。
【００１０】
請求項３に記載する本発明の車両用バンパ構造によれば、締結手段によって締結荷重を作用させる縦隔壁部と後壁部との間に、締結手段を構成する雄ねじ部材を貫通させる筒状のカラーが配設されているので、簡易な構成でサイドメンバ側との締結部を強固にできると共に、バンパリインフォースが衝突荷重を受けた場合、縦隔壁部に作用する荷重の一部がカラーで支持されて後壁部側に伝達される。このため、雄ねじ部材の軸線方向に対して斜めの荷重が作用しても、カラーがその一部を支持することによって雄ねじ部材の軸線の傾きが防止又は抑制され、荷重がサイドメンバ側へ安定的に伝達される。
【発明の効果】
【００１１】
以上説明したように、本発明に係る請求項１に記載の車両用バンパ構造によれば、衝突時にバンパリインフォースの座屈を防止又は抑制してサイドメンバ側への荷重伝達性能を確保することができるという優れた効果を有する。
【００１２】
請求項２に記載の車両用バンパ構造によれば、車両衝突時にバンパリインフォースが衝突荷重を受けた場合、後壁部とサイドメンバの端部側の取付壁部との結合面方向（せん断方向）への入力荷重、及び車両幅方向内側への回転方向の入力荷重に対して、バンパリインフォースの変形を効果的に防止又は抑制することができるという優れた効果を有する。
【００１３】
請求項３に記載の車両用バンパ構造によれば、簡易な構成でサイドメンバ側との締結部を強固にできると共に、車両衝突時にバンパリインフォースが衝突荷重を受けた場合、サイドメンバ側への荷重伝達方向を安定化することができるという優れた効果を有する。
【発明を実施するための最良の形態】
【００１４】
［第１実施形態］
本発明の第１の実施形態に係る車両用バンパ構造が適用されたフロントバンパ構造１２について図１〜図４を用いて説明する。なお、これらの図において適宜示される矢印ＦＲは車両前方側を示しており、矢印ＵＰは車両上方側を示しており、矢印ＩＮは車両幅方向内側を示している。
【００１５】
図１には、本実施形態に係るフロントバンパ構造１２が適用された車体前部１０の概略平面図が示されている。また、図２には、当該フロントバンパ構造１２の要部を拡大した縦断面図（図２の１−１線拡大断面図）が示されている。
【００１６】
図１に示されるように、車体前部１０の前端部（車両の前後方向の端部）には、フロントバンパ２０が設けられており、フロントバンパ２０は、車両幅方向を長手方向として配置されている。また、車体前部１０の両サイドには、車両前後方向を長手方向とした左右一対のフロントサイドメンバ１４が配置されている。フロントサイドメンバ１４の前端部には、クラッシュボックス１６を介して（フロントサイドメンバ１４の前端部側に）フロントバンパ２０の一部を構成するフロントバンパリインフォース２４の長手方向の両サイド（両端部２６の近傍）が結合されている。なお、クラッシュボックス１６は、車両前後方向を軸方向とし、後端取付部がフロントサイドメンバ１４の前端部に固定され、前端取付壁部１８（図２参照）がフロントバンパリインフォース２４に固定されており、フロントサイドメンバ１４よりも軸圧縮荷重に対する耐力が低く設定されている。
【００１７】
フロントバンパ２０は、車体前部１０の前端部に配置されて意匠面を構成するフロントバンパカバー２２と、このフロントバンパカバー２２の車両後方側に配置された図示しないフロントバンパアブソーバと、前記フロントバンパアブソーバの車両後方側に配置された高強度及び高剛性のフロントバンパリインフォース２４と、を主要部として構成されている。
【００１８】
車体前部１０の前端部（車両の前後方向の端部）側に設けられたフロントバンパリインフォース２４は、車両幅方向を長手方向として配置されて両端部２６は車両後方側へ湾曲されている。このフロントバンパリインフォース２４は、アルミニウム合金製であり、アルミニウム合金材料を押出し成形することにより製作されている。
【００１９】
図２に示されるように、フロントバンパリインフォース２４は、車両前後方向に沿った縦断面形状が中空矩形状とされ、前後に平行に配置された一対の前壁部３０及び後壁部３２を備えている。前壁部３０及び後壁部３２の上端部同士及び下端部同士は、上下に平行に配置された一対の上壁部３４及び下壁部３６によって一体に繋がれている。
【００２０】
また、前壁部３０と後壁部３２とは、横隔壁部４０、４２によって、車両前後方向に一体に繋がれており、横隔壁部４０、４２は、フロントバンパリインフォース２４の長手方向（図１参照）に沿って延在し、フロントバンパリインフォース２４内の内部空間を車両上下方向に隔てている。横隔壁部４０、４２は、上壁部３４及び下壁部３６に平行とされ、本実施形態では、計二枚設けられている。上壁部３４、横隔壁部４０、４２及び下壁部３６は、一般面が車両の前面衝突時における荷重入力方向（衝突方向）を含む面を面方向として配置されている。
【００２１】
上壁部３４、横隔壁部４０、４２及び下壁部３６の車両上下方向に対向して配置された部分同士は、縦隔壁部４４、４６、４８によって、車両上下方向（前面衝突時に座屈の振幅を抑制する方向）に一体に繋がれている。図２では、上壁部３４と上側の横隔壁部４０とを繋ぐ縦隔壁部を符号４４、上側の横隔壁部４０と下側の横隔壁部４２とを繋ぐ縦隔壁部を符号４６、下側の横隔壁部４２と下壁部３６とを繋ぐ縦隔壁部を符号４８でそれぞれ示す。縦隔壁部４４、４６、４８は、一般面が車両の前面衝突時における荷重入力方向（衝突方向）と垂直な方向を含む面を面方向として配置されており、（図２の断面視で）上壁部３４、横隔壁部４０、４２及び下壁部３６の座屈変形量が大きくなる箇所を補強している。これらの縦隔壁部４４、４６、４８は、フロントバンパリインフォース２４の長手方向（図１参照）に沿って延在し、フロントバンパリインフォース２４内の内部空間を車両前後方向に隔てている。
【００２２】
上側の横隔壁部４０を挟んで上下に設けられた縦隔壁部４４、４６の位置は、縦隔壁部４４の位置（一方の位置）が縦隔壁部４６の位置（他方の位置）に対して車両後方側（車両前後方向）へオフセットしている。また、下側の横隔壁部４２を挟んで上下に設けられた縦隔壁部４６、４８の位置は、縦隔壁部４６の位置（一方の位置）が縦隔壁部４８の位置（他方の位置）に対して車両前方側（車両前後方向）へオフセットしている。なお、本実施形態では、縦隔壁部４４における車両前後方向の位置と、縦隔壁部４８における車両前後方向の位置とは、一致している。
【００２３】
後壁部３２が面接触するクラッシュボックス１６の前端取付壁部１８には、上下にボルト挿通孔１８Ａ、１８Ｂが貫通形成されている。また、後壁部３２にはボルト挿通孔１８Ａ、１８Ｂの同軸上の位置にボルト挿通孔３２Ａ、３２Ｂが貫通形成され、さらに、縦隔壁部４４、４８にもボルト挿通孔１８Ａ、１８Ｂの同軸上の位置にボルト挿通孔４４Ａ、４８Ａが貫通形成されている。
【００２４】
クラッシュボックス１６の前端取付壁部１８において、車両後方側の面（後壁部３２側と反対側の面）には、締結手段としてのウエルドナット５２が予め溶着されている。縦隔壁部４４、４８と後壁部３２との間には、ウエルドナット５２と同軸上に金属製で円筒状のカラー５４が配設（介在）されている（図３参照）。図２に示されるカラー５４の内径は、締結手段を構成する雄ねじ部材としてのボルト５０を貫通させることが可能な寸法とされ、カラー５４の外径は、ボルト挿通孔１８Ａ、１８Ｂ、３２Ａ、３２Ｂ、４４Ａ、４８Ａの内径よりも大きく設定されている。なお、カラー５４の軸方向の両端部は、ボルト挿通孔３２Ａ、３２Ｂ、４４Ａ、４８Ａの周囲に予め溶接等により固定するのが好ましい。締結用のボルト５０は、縦隔壁部４４、４８の車両前方側（カラー５４の配置側とは反対側）からボルト挿通孔４４Ａ、４８Ａ、カラー５４、及びボルト挿通孔３２Ａ、３２Ｂ、１８Ａ、１８Ｂ内へ挿入されて貫通しており、このボルト５０がウエルドナット５２に螺合されている（カラー５４と用いた締結）。
【００２５】
このような構成によって、ボルト５０及びウエルドナット５２は、フロントバンパリインフォース２４における縦隔壁部４４、４８及び後壁部３２と、フロントサイドメンバ１４（図１参照）の前端部側に設けられてフロントバンパリインフォース２４が結合されたクラッシュボックス１６の前端取付壁部１８と、に対して締結荷重を作用させるようになっている。なお、ボルト５０及びウエルドナット５２は、後壁部３２に対しては、主として縦隔壁部４４、４８、カラー５４及び前端取付壁部１８を介して締結荷重を作用させている。
【００２６】
（作用・効果）
次に、上記実施形態の作用及び効果について説明する。
【００２７】
図１に示されるフロントバンパ２０が、例えば、車両幅方向の中央部で衝突体と衝突すると、その際の衝突荷重Ｆがフロントバンパカバー２２等を介してフロントバンパリインフォース２４に入力される。このとき、衝突荷重Ｆは、フロントバンパリインフォース２４における車両幅方向の中央部からクラッシュボックス１６（フロントサイドメンバ１４の前端部側）との結合部側へ伝達される。
【００２８】
図２に示されるように、車両前後方向に沿った縦断面形状が中空矩形状とされたフロントバンパリインフォース２４は、横隔壁部４０、４２が前壁部３０と後壁部３２とを車両前後方向に一体に繋ぐと共にフロントバンパリインフォース２４の長手方向に沿って延在しているので、車両の前面衝突時にフロントバンパリインフォース２４が衝突荷重Ｆを受けると、衝突荷重Ｆは、上壁部３４、下壁部３６及び横隔壁部４０、４２によってクラッシュボックス１６側（フロントサイドメンバ１４（図１参照）の前端部側）へ伝達される（流れる）。
【００２９】
ここで、フロントバンパリインフォース２４において、上側の横隔壁部４０を挟んで上下に設けられた縦隔壁部４４、４６の位置は、縦隔壁部４４の位置が縦隔壁部４６の位置に対して車両後方側へオフセットしており、また、下側の横隔壁部４２を挟んで上下に設けられた縦隔壁部４６、４８の位置は、縦隔壁部４６の位置が縦隔壁部４８の位置に対して車両前方側へオフセットしているので、各横隔壁部４０、４２においては、例えば、同じ断面積で上下の縦隔壁部の位置が車両前後方向へオフセットされていない対比構造と比べて、車両前後方向に位置が異なる縦隔壁部４４、４６、４８との交点部Ｘ１、Ｘ２、Ｘ３、Ｘ４が増える。このため、フロントバンパリインフォース２４が衝突荷重Ｆを受けた場合、横隔壁部４０、４２に生じる座屈波長が短くなって断面が潰れにくくなる。すなわち、衝突荷重Ｆを受けた際に支点となる交点部Ｘ１、Ｘ２、Ｘ３、Ｘ４が増えることで、フロントバンパリインフォース２４が圧縮変形しにくくなる（断面変形方向（車両前後方向）の座屈強度向上）。
【００３０】
図４には、フロントバンパリインフォース２４が所定値以上の衝突荷重Ｆを受けた場合の状態変化が模式的に図示されている。図４（Ａ）は、フロントバンパリインフォース２４が所定値以上の衝突荷重Ｆを受ける前の状態を示し、図４（Ｂ）は、フロントバンパリインフォース２４が所定値以上の衝突荷重Ｆを受けた後の状態を示す。
【００３１】
図４（Ａ）に示されるように、フロントバンパリインフォース２４が所定値以上の衝突荷重Ｆを受けた場合、フロントバンパリインフォース２４には、クラッシュボックス１６側から反力Ｒが作用する。これによって、図４（Ｂ）に示されるように、フロントバンパリインフォース２４は、車両前後方向に若干圧縮変形される。このとき、フロントバンパリインフォース２４には、計１０個の座屈の波が形成される（図４（Ｂ）では、座屈の波を符号Ａ１、Ａ２、Ａ３、Ａ４、Ａ５、Ａ６、Ａ７、Ａ８、Ａ９、Ａ１０で示す。）。換言すれば、図４に示される構造によれば、例えば、同じ断面積で上下の縦隔壁部の位置が前壁部３０と後壁部３２との中央位置に揃えられて車両前後方向へオフセットされていない対比構造が同様に圧縮変形された際に計８個の座屈の波が形成されるのに比べて、座屈の波の数を計２個増やすことができる。すなわち、前記対比構造に比べて座屈の波Ａ２〜Ａ８、Ａ１０において座屈波長を短くすることができ、全体としてフロントバンパリインフォース２４が圧縮変形（断面変形）しにくくなる（断面変形の抑制）。
【００３２】
また、横隔壁部４０、４２及び縦隔壁部４４、４６、４８は、前壁部３０、後壁部３２、上壁部３４及び下壁部３６と一体で繋がっているので、荷重入力時には、例えば、フロントバンパリインフォース内に潰れ防止体を設けた他の対比構造のようなフロントバンパリインフォースと潰れ防止体との剥離現象も生じない。よって、前記対比構造に比べてフロントバンパリインフォース２４の外形の座屈がより抑制される。また、横隔壁部４０、４２及び縦隔壁部４４、４６、４８は、フロントバンパリインフォース２４の長手方向に沿って延在しているので、前記対比構造でフロントバンパリインフォースの両端部寄り（フロントサイドメンバとの結合部付近）にのみ潰れ防止体を設けたような場合と異なり、フロントバンパリインフォース２４の全長に亘って剛性が高い。よって、例えば、車両の前面衝突時にフロントバンパリインフォース２４の車両幅方向の中央部に衝突荷重が入力されても、フロントバンパリインフォース２４の車両幅方向の中央部のみが大きく後退して変形するのを防止又は抑制することができる。
【００３３】
また、図２に示されるように、フロントバンパリインフォース２４における縦隔壁部４４、４８及び後壁部３２と、クラッシュボックス１６における前端取付壁部１８とは、縦隔壁部４４、４８と後壁部３２との間にカラー５４が挟まれた状態でボルト５０及びウエルドナット５２による締結荷重を受けるので、フロントバンパリインフォース２４が衝突荷重Ｆを受けた場合、フロントバンパリインフォース２４は、後壁部３２に加えて縦隔壁部４４、４８でも荷重を支持することになる。
【００３４】
すなわち、車両の前面衝突時には、図１に示されるフロントバンパリインフォース２４の車両幅方向の中央部が車両前方側からの衝突荷重Ｆを受けることによってフロントバンパリインフォース２４におけるクラッシュボックス１６との結合部に車両幅方向内側へ引き込むような内向き荷重ｆ１及び回転荷重ｆ２が作用するが、図３に示されるように、フロントバンパリインフォース２４の後壁部３２とクラッシュボックス１６の前端取付壁部１８との結合面方向（せん断方向）への内向き荷重ｆ１、及び車両幅方向内側への回転方向の回転荷重ｆ２が入力された場合、フロントバンパリインフォース２４は、後壁部３２と縦隔壁部４４、４８（図２参照）とで荷重ｆ１、ｆ２を支持する。このように、荷重ｆ１、ｆ２が一枚でなく二枚で支持されることになるので、内向き荷重ｆ１に対して支持剛性が高くなって強度が向上し、回転荷重ｆ２に対しても回転支点が増えることで効果的に強度が向上する（強固な締結構造）。
【００３５】
その結果として、図１に示される車両の前面衝突時にフロントバンパリインフォース２４は、圧縮変形しにくくなるので、フロントバンパリインフォース２４からクラッシュボックス１６（フロントサイドメンバ１４の前端部側）へ荷重が効率的に伝達され、フロントバンパリインフォース２４によって、クラッシュボックス１６（フロントサイドメンバ１４の前端部側）が車両前後方向に潰されて衝突エネルギーが吸収される。
【００３６】
また、図２に示されるように、ボルト５０及びウエルドナット５２によって締結荷重を作用させる縦隔壁部４４、４８と後壁部３２との間に、ボルト５０を貫通させる筒状のカラー５４が配設されているので、簡易な構成でクラッシュボックス１６側（フロントサイドメンバ１４（図１参照）の前端部側）との締結部を強固にできると共に、フロントバンパリインフォース２４が衝突荷重Ｆを受けた場合、縦隔壁部４４、４８に作用する荷重の一部がカラー５４で支持されて後壁部３２側に伝達される。このため、ボルト５０の軸線方向に対して斜めの荷重が作用しても、カラー５４がその一部を支持することによってカラー５４の軸線の傾きが防止又は抑制され、荷重がクラッシュボックス１６側（フロントサイドメンバ１４（図１参照）側）へ安定的に伝達される。すなわち、図１に示されるフロントバンパリインフォース２４側からクラッシュボックス１６側（フロントサイドメンバ１４側）への荷重伝達方向を安定化することができる。
【００３７】
以上説明したように、本実施形態に係るフロントバンパ構造１２によれば、車両の前面衝突時にフロントバンパリインフォース２４の座屈を防止又は抑制してフロントサイドメンバ１４側（クラッシュボックス１６側）への荷重伝達性能を確保することができる。
【００３８】
［第２実施形態］
次に、本発明の第２の実施形態に係る車両用バンパ構造が適用されたフロントバンパ構造６０について、図５（Ａ）を用いて説明する。図５（Ａ）には、本発明の第２の実施形態に係るフロントバンパ構造６０が、車両前後方向に沿った縦断面図にて示されている。この図に示されるように、フロントバンパ構造６０は、上壁部３４と上側の横隔壁部４０とを繋ぐ縦隔壁部４３、４４を二枚にし、下側の横隔壁部４２と下壁部３６とを繋ぐ縦隔壁部４７、４８を二枚にした点で、第１の実施形態に係るフロントバンパ構造１２（図２参照）とは異なる。他の構成は、第１の実施形態とほぼ同様の構成となっている。よって、第１の実施形態と実質的に同様の構成部については、同一符号を付して説明を省略する。
【００３９】
図５（Ａ）に示されるように、上側の横隔壁部４０を挟んで上下に設けられた縦隔壁部４３、４４、４６の位置は、縦隔壁部４３、４４の位置（一方の位置）が縦隔壁部４６の位置（他方の位置）に対して車両前後方向へ（縦隔壁部４３の位置はより車両前方側へ、縦隔壁部４４の位置はより車両後方側へ）オフセットしている。また、下側の横隔壁部４２を挟んで上下に設けられた縦隔壁部４６、４７、４８の位置は、縦隔壁部４７、４８の位置（一方の位置）が縦隔壁部４６の位置（他方の位置）に対して車両前後方向へ（縦隔壁部４７の位置はより車両前方側へ、縦隔壁部４８の位置はより車両後方側へ）オフセットしている。このような構成によっても、前述した第１実施形態とほぼ同様の作用及び効果が得られる。
【００４０】
［第３実施形態］
次に、本発明の第３の実施形態に係る車両用バンパ構造が適用されたフロントバンパ構造６２について、図５（Ｂ）を用いて説明する。図５（Ｂ）には、本発明の第３の実施形態に係るフロントバンパ構造６２が、車両前後方向に沿った縦断面図にて示されている。この図に示されるように、フロントバンパ構造６２は、上側の横隔壁部４０と下側の横隔壁部４２とを繋ぐ縦隔壁部４５、４６を二枚にした点で、第１の実施形態に係るフロントバンパ構造１２（図２参照）とは異なる。他の構成は、第１の実施形態とほぼ同様の構成となっている。よって、第１の実施形態と実質的に同様の構成部については、同一符号を付して説明を省略する。
【００４１】
図５（Ｂ）に示されるように、上側の横隔壁部４０を挟んで上下に設けられた縦隔壁部４４、４５、４６の位置は、縦隔壁部４５、４６の位置（一方の位置）が縦隔壁部４４の位置（他方の位置）に対して車両前後方向へ（縦隔壁部４５の位置はより車両前方側へ、縦隔壁部４６の位置はより車両後方側へ）オフセットしている。また、下側の横隔壁部４２を挟んで上下に設けられた縦隔壁部４５、４６、４８の位置は、縦隔壁部４５、４６の位置（一方の位置）が縦隔壁部４８の位置（他方の位置）に対して車両前後方向へ（縦隔壁部４５の位置はより車両前方側へ、縦隔壁部４６の位置はより車両後方側へ）オフセットしている。このような構成によっても、前述した第１実施形態とほぼ同様の作用及び効果が得られる。
【００４２】
［実施形態の補足説明］
なお、上記実施形態では、車両用バンパ構造は、フロントバンパ構造１２に適用されて、バンパリインフォースが車両の前端部側に設けられてフロントサイドメンバ１４の前端部側に結合されたフロントバンパリインフォース２４とされているが、車両用バンパ構造は、リヤバンパ構造に適用されて、バンパリインフォースが車両の後端部側に設けられてリヤサイドメンバの後端部側に結合されたリヤバンパリインフォースとされる構成としてもよい。
【００４３】
また、上記実施形態では、図１に示されるように、フロントバンパリインフォース２４の両サイドがクラッシュボックス１６を介してフロントサイドメンバ１４の前端部に結合されているが、バンパリインフォースの両サイドは、例えば、サイドメンバの端部にブラケットを介して結合されてもよく、また、サイドメンバの端部に直接結合されてもよい。すなわち、請求項１記載の「サイドメンバの端部側に結合された」は、上記実施形態のようにサイドメンバの端部に設けられた他部材（クラッシュボックス）に結合された場合の他、サイドメンバの端部に直接結合された場合を含む。また、請求項２記載の「サイドメンバの端部側に設けられ」は、上記実施形態のようにサイドメンバの端部に設けられた他部材（クラッシュボックス）に設けられている場合の他、サイドメンバの端部に形成されている場合を含む。
【００４４】
さらに、上記実施形態では、図２及び図５に示されるように、ボルト５０及びウエルドナット５２が、フロントバンパリインフォース２４における縦隔壁部４４、４８及び後壁部３２と、クラッシュボックス１６における前端取付壁部１８と、に対して締結荷重を作用させており、このような構成が好ましいが、例えば、締結具が、バンパリインフォースにおける後壁部と、サイドメンバの端部側に設けられてバンパリインフォースが結合された取付壁部と、に対してのみ締結荷重を作用させるような構成とすることも可能である。
【００４５】
さらにまた、上記実施形態では、締結手段としてのウエルドナット５２がクラッシュボックス１６の前端取付壁部１８において、車両後方側の面（後壁部３２側と反対側の面）に予め溶着され、締結手段としてのボルト５０は、縦隔壁部４４、４８の車両前方側（カラー５４の配置側とは反対側）からボルト挿通孔４４Ａ、４８Ａ、カラー５４、及びボルト挿通孔３２Ａ、３２Ｂ、１８Ａ、１８Ｂ内へ挿入されてウエルドナット５２に螺合されているが、例えば、サイドメンバの端部側に設けられたバンパリインフォース結合用の取付壁部がフランジ状に形成されている場合等では、締結手段は、縦隔壁部のカラー配置側とは反対側の面に予め溶着されたウエルドナットと、取付壁部において後壁部側とは反対側にボルト頭部が配設されると共にボルト軸部が該取付壁部、後壁部及び縦隔壁部を貫通して前記ウエルドナットと螺合されたボルトと、を含んで構成された締結手段等のような他の締結手段としてもよい。
【００４６】
また、例えば、前記取付壁部がフランジ状に形成されている場合等における締結手段の他の例として、縦隔壁部のカラー配置側とは反対側の面にボルト頭部が予め溶着されてボルト軸部が縦隔壁部、後壁部及び取付壁部を貫通した雄ねじ部材としてのウエルドボルトと、取付壁部において後壁部側とは反対側で前記ウエルドボルトと螺合されたナットと、を含んで構成された締結手段を適用してもよい。
【００４７】
なお、上記実施形態では、ボルト５０及びウエルドナット５２によって締結荷重を作用させる縦隔壁部４４、４８と後壁部３２との間に、ボルト５０を貫通させる筒状のカラー５４が配設されており、このような構成が好ましいが、例えば、カラー（５４）の代わりに、フロントバンパリインフォース（２４）における縦隔壁部（４４、４８）と後壁部（３２）との間でボルト（５０）の軸部配設位置の近接上下位置に縦隔壁部（４４、４８）と後壁部（３２）とを一体に繋ぐ連結壁部を形成するような構成としてもよい。
【図面の簡単な説明】
【００４８】
【図１】本発明の第１の実施形態に係るフロントバンパ構造を備えた車体前部の概略平面図である。
【図２】本発明の第１の実施形態に係るフロントバンパ構造の要部を拡大して示す縦断面図（図１の２−２線拡大断面図）である。
【図３】本発明の第１の実施形態に係るフロントバンパ構造の締結部の一部を拡大して示す半断面の斜視図である。
【図４】フロントバンパリインフォースが所定値以上の衝突荷重を受けた場合の状態変化を模式的に示す拡大断面図である（締結構造の図示は省略している。）。図４（Ａ）は、フロントバンパリインフォースが所定値以上の衝突荷重を受ける前の状態を示す。図４（Ｂ）は、フロントバンパリインフォースが所定値以上の衝突荷重を受けた後の状態を示す。
【図５】図５（Ａ）は、本発明の第２の実施形態に係るフロントバンパ構造の要部を拡大して示す縦断面図である。図５（Ｂ）は、本発明の第３の実施形態に係るフロントバンパ構造の要部を拡大して示す縦断面図である。
【符号の説明】
【００４９】
１２    フロントバンパ構造（車両用バンパ構造）
１４    フロントサイドメンバ（サイドメンバ）
１８    前端取付壁部（取付壁部）
２４    フロントバンパリインフォース（バンパリインフォース）
３０    前壁部
３２    後壁部
３４    上壁部
３６    下壁部
４０    横隔壁部
４２    横隔壁部
４３    縦隔壁部
４４    縦隔壁部
４５    縦隔壁部
４６    縦隔壁部
４７    縦隔壁部
４８    縦隔壁部
５０    ボルト（雄ねじ部材（締結手段））
５２    ウエルドナット（締結手段）
５４    カラー
６０    フロントバンパ構造（車両用バンパ構造）
６２    フロントバンパ構造（車両用バンパ構造）
【図１】
2009090705.tif 000003
【図２】
2009090705.tif 000004
【図３】
2009090705.tif 000005
【図４】
2009090705.tif 000006
【図５】
2009090705.tif 000007